(57)【要約】【課題】かみ合わせて締め込み初期は汎用螺子と同等の作業性で、かつ締め付け終わり付近から雄螺子と雌螺子の接触部の弾性力で軽度の締まりばめ状態、または雄螺子と雌螺子のギャップを埋める状態にして、破損や雄螺子と雌螺子のかみ合い時の緩みを防止し、または位置決めを常に安定にして低コストの螺子部材、及びその螺子部材を備える締結装置、ならびに画像形成装置を提供する。【解決手段】螺子本体１の外周または内周に形成した螺子部２と、前記螺子部２が締め付け時にまずかみ合う先端側に形成する汎用螺子部３と、次にかみ合う前記汎用螺子部３の他端側に形成する緩み防止螺子部４を備える。【選択図】図１
2007239807.tif 000002
【特許請求の範囲】
【請求項１】
雄螺子、又は雌螺子を備えた螺子本体を備え、該螺子本体は、その雄螺子、又は雌螺子に対して他の雌螺子又は雄螺子を締め付ける際に先にかみ合う先端側に汎用螺子部を備え、次にかみ合う他端側に緩み防止螺子部を備えていることを特徴とする螺子部材。
【請求項２】
請求項１に記載の螺子部材において、複数本のねじ山を備える複数条雄螺子を備えることを特徴とする螺子部材。
【請求項３】
請求項１に記載の螺子部材において、複数本のねじ山を備える複数条雌螺子を備えることを特徴とする螺子部材。
【請求項４】
請求項１、２又は３のいずれか一項に記載の螺子部材において、前記緩み防止螺子部の送りピッチは、前記汎用螺子部の送りピッチよりも所定周期だけ変化していることを特徴とする螺子部材。
【請求項５】
請求項１乃至４のいずれか一項に記載の螺子部材において、前記緩み防止螺子部は、複数条雄螺子または複数条雌螺子の１条の螺子は前記汎用螺子部の送りピッチの中心よりずらしており、他の１条の螺子は前記汎用螺子部の送りピッチの中心より逆方向にずらしていることを特徴とする螺子部材。
【請求項６】
請求項１乃至５のいずれか一項に記載の螺子部材において、前記汎用螺子部と緩み防止螺子部との間に螺子の谷径よりも小さく、または大きい形状の溝を備えることを特徴とする螺子部材。
【請求項７】
一対の螺子部材をかみ合わせ締め付けて締結または位置決めする締結装置において、前記請求項１乃至６のいずれか一項に記載の前記螺子部材を備えることを特徴とする締結装置。
【請求項８】
請求項７に記載の締結装置において、前記螺子部材は、汎用雌螺子とかみ合う前記雄螺子を備えることを特徴とする締結装置。
【請求項９】
請求項７に記載の締結装置において、前記螺子部材は、汎用雄螺子とかみ合う前記雌螺子を備えることを特徴とする締結装置。
【請求項１０】
請求項７に記載の締結装置において、前記螺子部材は、汎用複数条雌螺子とかみ合う前記複数条雄螺子を備えることを特徴とする締結装置。
【請求項１１】
請求項７に記載の締結装置において、前記螺子部材は、汎用複数条雄螺子とかみ合う前記複数条雌螺子を備えることを特徴とする締結装置。
【請求項１２】
被記録媒体に記録画像を形成する画像形成装置において、被記録媒体に記録画像を形成する画像形成ユニットと、前記請求項１乃至６のいずれか一項に記載の前記螺子部材を備えることを特徴とする画像形成装置。
【請求項１３】
請求項１２に記載の画像形成装置において、前記画像形成ユニットは、電子写真方式の作像プロセスで被記録媒体にトナーの記録画像を形成することを特徴とする画像形成装置。
【発明の詳細な説明】
【技術分野】
【０００１】
本発明は、螺子部材、及びその螺子部材を備える締結装置、ならびに画像形成装置に関する。詳しくは、雄螺子と雌螺子のかみ合い時の緩みを防止する螺子部材、及びその螺子部材を備える一対の螺子部材をかみ合わせ締め付けて締結または位置決めする締結装置、並びに被記録媒体に記録画像を形成する、ＣＤ−ＲＯＭ、印刷装置のインクジェットプリンタ、静電記録方式や電子写真方式などのプロセスでトナーの記録画像を形成する複写機、ファクシミリ装置、プリンタあるいはこれらの複合機等の画像形成装置に関する。
【背景技術】
【０００２】
従来の螺子部材は、図１０と図１１に図示するように螺子部材の汎用雄螺子１０１を汎用雌螺子１０２にかみ合せて汎用雄螺子１０１の頭部６で被締結部材１０６を締め付けたり、または図１２に図示するように螺子部材の汎用複数条雄螺子１０３を汎用複数条雌螺子１０４にかみ合せて汎用複数条雄螺子１０３の頭部６で被締結部材１０６を締め付けて緩みを防止し、または位置決めする締結装置は、一般に広く使用されている。
螺子部材の汎用雄螺子１０１と汎用雌螺子１０２、または汎用複数条雄螺子１０３と汎用複数条雌螺子１０４のかみ合い時の緩みを防止するには、各螺子部の全体を特殊な螺子山形状、例えば、ねじ山にスリットを形成したり、各螺子部の全体に緩み防止剤を付加している。
【０００３】
またリード部が１条螺子、有効螺子部が２条螺子で構成されている薄板用タッピン螺子を用いて、締結材の雌螺子の下穴の周辺には、タッピン螺子のねじ込み方向に対し、ねじ込み元側が広い台形断面形状の絞込みによる凹型形状部を形成して、螺子締結に要求される基本特性であるねじ込みトルク、ゆるみトルク、雌螺子破壊トルクを満足し、繰返し締結性能を向上させ得る金属薄板へのねじ締結構造も知られている（特許文献１、２を参照）。
しかしながら、従来のこれらの螺子部材は、組み付け時の締め付けトルクが高くなり過ぎ、螺子部材を垂直に挿し難く、斜め締めとなり螺子部材が破損する不具合があった。
【特許文献１】特開２００４−１５６７７５公報
【特許文献２】特開２００４−３４７１２３公報
【発明の開示】
【発明が解決しようとする課題】
【０００４】
そこで本発明の課題は、このような問題点を解決するものである。即ち、かみ合わせて締め込み初期は汎用螺子と同等の作業性で、かつ締め付け終わり付近から雄螺子と雌螺子の接触部の弾性力で軽度の締まりばめ状態、または雄螺子と雌螺子のギャップを埋める状態にして、破損や雄螺子と雌螺子のかみ合い時の緩みを防止し、または位置決めを常に安定にして低コストの螺子部材、及びその螺子部材を備える締結装置、ならびに画像形成装置を提供することを目的とする。
【課題を解決するための手段】
【０００５】
上記目的を達成するために、請求項１に記載の本発明は、雄螺子、又は雌螺子を備えた螺子本体を備え、該螺子本体は、その雄螺子、又は雌螺子に対して他の雌螺子又は雄螺子を締め付ける際に先にかみ合う先端側に汎用螺子部を備え、次にかみ合う他端側に緩み防止螺子部を備えていることを特徴とする。
請求項２の発明は、請求項１に記載の螺子部材において、複数本のねじ山を備える複数条雄螺子を備えることを特徴とする。
請求項３の発明は、請求項１に記載の螺子部材において、複数本のねじ山を備える複数条雌螺子を備えることを特徴とする。
請求項４の発明は、請求項１、２又は３のいずれか一項に記載の螺子部材において、前記緩み防止螺子部は、前記汎用螺子部の送りピッチよりも所定周期だけ所定間隔に変化していることを特徴とする。
【０００６】
請求項５の発明は、請求項１乃至４のいずれか一項に記載の螺子部材において、前記緩み防止螺子部は、複数条雄螺子または複数条雌螺子の１条の螺子は前記汎用螺子部の送りピッチの中心よりずらしており、他の１条の螺子は前記汎用螺子部の送りピッチの中心より逆方向にずらしていることを特徴とする。
請求項６の発明は、請求項１乃至５のいずれか一項に記載の螺子部材において、前記汎用螺子部と緩み防止螺子部との間に螺子の谷径よりも小さく、または大きい形状の溝を備えることを特徴とする。
請求項７の発明は、一対の螺子部材をかみ合わせ締め付けて締結または位置決めする締結装置において、前記請求項１乃至６のいずれか一項に記載の前記螺子部材を備えることを特徴とする。
請求項８の発明は、請求項７に記載の締結装置において、前記螺子部材は、汎用雌螺子とかみ合う前記雄螺子を備えることを特徴とする。
【０００７】
請求項９の発明は、請求項７に記載の締結装置において、前記螺子部材は、汎用雄螺子とかみ合う前記雌螺子を備えることを特徴とする。
請求項１０の発明は、請求項７に記載の締結装置において、前記螺子部材は、汎用複数条雌螺子とかみ合う前記複数条雄螺子を備えることを特徴とする。
請求項１１の発明は、請求項７に記載の締結装置において、前記螺子部材は、汎用複数条雄螺子とかみ合う前記複数条雌螺子を備えることを特徴とする。
請求項１２の発明は、被記録媒体に記録画像を形成する画像形成装置において、被記録媒体に記録画像を形成する画像形成ユニットと、前記請求項１乃至６のいずれか一項に記載の前記螺子部材を備えることを特徴とする。
請求項１３の発明は、請求項１２に記載の画像形成装置において、前記画像形成ユニットは、電子写真方式の作像プロセスで被記録媒体にトナーの記録画像を形成することを特徴とする。
【発明の効果】
【０００８】
本発明によれば、かみ合わせて締め込み初期は汎用螺子と同等の作業性で、かつ締め付け終わり付近から雄螺子と雌螺子の接触部の弾性力で軽度の締まりばめ状態、または雄螺子と雌螺子のギャップを埋める状態にして、破損や雄螺子と雌螺子のかみ合い時の緩みを防止し、または位置決めを常に安定にして低コストの螺子部材、及びその螺子部材を備える締結装置、ならびに画像形成装置を提供することが出来る。
【発明を実施するための最良の形態】
【０００９】
以下に、本発明の実施形態を、図面を参照して詳細に説明する。
図１は、本発明の実施の形態例にかかる螺子部材１０の雄螺子２０または複数条雄螺子２２と、その雄螺子２０または複数条雄螺子２２を備える締結装置１００の基本構成の断面図である。
図２は、本発明の実施の形態例にかかる螺子部材１０の雄螺子２０とその雄螺子２０を備える締結装置１００の一部分の拡大断面図である。
図３は、本発明の実施の形態例にかかる螺子部材１０の複数条雄螺子２２とその複数条雄螺子２２を備える締結装置１００の一部の拡大断面図である。
【００１０】
図１において、雄螺子と雌螺子のかみ合い時の緩みを防止する螺子部材１０は、螺子本体１の外周に形成した螺子部２の雄螺子２０または複数条雄螺子２２と、螺子部２の雄螺子２０または複数条雄螺子２２が汎用雌螺子１０２または汎用複数条雌螺子１０４に締め付けられる時に、汎用雌螺子１０２または汎用複数条雌螺子１０４と最初にかみ合う先端側に形成する汎用螺子部３と、次にかみ合う汎用螺子部３の他端側に形成する緩み防止螺子部４を備えている。
締結装置１００は、螺子部材１０の螺子本体１の外周に形成した雄螺子２０、または複数条雄螺子２２が頭部６で被締結部材１０６を汎用雌螺子１０２または汎用複数条雌螺子１０４に締め付ける時に、先端側に形成する汎用螺子部３が汎用雌螺子１０２または汎用複数条雌螺子１０４とまずかみ合って、次に他端側に形成する緩み防止螺子部４がかみ合う構成になっている。
【００１１】
図２において、雄螺子２０は、締め付けると、まず汎用雌螺子１０２とかみ合う三角の山形、または図示しない台形等で規格化され互換性のある汎用螺子部３と、次にかみ合い始める緩み防止螺子部４を備えている。
緩み防止螺子部４では、汎用螺子部３の送りピッチを所定の１回転周期で、汎用螺子部３でのギャップ分の間隔で変化させている。
そして、雄螺子２０の緩み防止螺子部４で汎用雌螺子１０２を１山間隔で挟み込み、接触部７を設け破損や緩みを防止する。
従って、締結機構１００においては、雄螺子２０の先端は汎用ネジ部と同一形状の汎用螺子部３とし、途中から雄螺子２０の送りピッチを周期的に変化する緩み防止螺子部４として、緩み防止螺子部４と汎用雌螺子１０２のギャップを埋めて汎用雌螺子１０２の螺子山の両側を交互に接触させているので、締め込み初期は汎用螺子と同等の作業性でかつ、締め付け終わり付近から接触部７の弾性力で軽度の締まりばめ状態にする事で、破損や雄螺子２０と汎用雌螺子１０２の緩みを防止する事が出来る。
【００１２】
図３において、複数条雄螺子２２は、締め付けると、まず汎用複数条雌螺子１０４とかみ合う三角の山形、または図示しない台形等で規格化され互換性のある汎用螺子部３と、次にかみ合い始める緩み防止螺子部４を備えている。
緩み防止螺子部４では、複数条雄螺子２２の１条の螺子山は汎用螺子部３の送りピッチの中心よりずらして、他の１条の螺子山は汎用螺子部３の送りピッチの中心より逆方向にずらしている。
そして、複数条雄螺子２２の緩み防止螺子部４で汎用複数条雌螺子１０４を複数条雄螺子２２の１対の螺子山で挟み込み、接触部７を設け緩みを防止する。
【００１３】
従って、締結機構１００においては、複数条雄螺子２２の先端は汎用螺子と同一形状の汎用螺子部３とし、途中から複数条雄螺子２２の１条の螺子山は汎用螺子部３の送りピッチの中心よりずらして、他の１条の螺子山は汎用螺子部３の送りピッチの中心より逆方向にずらしている緩み防止螺子部４として、緩み防止螺子部４の片側の螺子山と汎用複数条雌螺子１０４と接触させ、逆側の螺子山も汎用複数条雌螺子１０４と接触させているので、締め込み初期は汎用螺子と同等の作業性でかつ、締め付け終わり付近から緩み防止螺子部４と汎用複数条雌螺子１０４のギャップを埋めて、接触部７の弾性力で軽度の締まりばめ状態にする事で、破損や複数条雄螺子２２と汎用複数条雌螺子１０４の緩みを防止して位置決めを常に安定にする事が出来る。
【００１４】
図４は、本発明の他の実施の形態例を示し、外周に溝５を備える雄螺子２０または複数条雄螺子２２と、その雄螺子２０または複数条雄螺子２２を備える締結装置１００の断面図である。
図４において、螺子部２の雄螺子２０または複数条雄螺子２２は、汎用螺子部３と緩み防止螺子部４との間に螺子山の谷径よりも小さい形状の溝５を備えている形状になっている。
従って、転造等の安価な加工法で汎用螺子部３と緩み防止螺子部４を製造する事が出来るので、低コストの螺子部材１０の雄螺子２０または複数条雄螺子２２と、螺子部材１０の雄螺子２０または複数条雄螺子２２を備える締結装置１００を提供することが出来る。
【００１５】
図５は、本発明の実施の形態例にかかる螺子部材１０の雌螺子２１または複数条雌螺子２３と、その雌螺子２１または複数条雌螺子２３を備える締結装置１００の基本構成の断面図である。
図６は、本発明の実施の形態例にかかる螺子部材１０の雌螺子２１とその雌螺子２１を備える締結装置１００の一部分の拡大断面図である。
図７は、本発明の実施の形態例にかかる螺子部材１０の複数条雌螺子２３とその複数条雌螺子２３を備える締結装置１００の一部の拡大断面図である。
【００１６】
図５において、雄螺子と雌螺子のかみ合い時の緩みを防止する螺子部材１０は、螺子本体１の内周に形成した螺子部２の雌螺子２１または複数条雌螺子２３と、螺子部２の雌螺子２１または複数条雌螺子２３が汎用雄螺子１０１または汎用複数条雄螺子１０３に締め付け時に、汎用雄螺子１０１または汎用複数条雄螺子１０３とまずかみ合う先端側に形成する汎用螺子部３と、次にかみ合う汎用螺子部３の他端側に形成する緩み防止螺子部４を備えている。
螺子本体１の内周に形成した雌螺子２１、または複数条雌螺子２３が汎用雄螺子１０１または汎用複数条雄螺子１０３の頭部６により被締結部材１０６に締め付けられた時に、先端側に形成する汎用螺子部３が汎用雄螺子１０１または汎用複数条雄螺子１０３とまずかみ合って、次に他端側に形成する緩み防止螺子部４がかみ合う構成になっている。
【００１７】
図６において、雌螺子２１は、締め付けると、まず汎用雄螺子１０１とかみ合う三角の山形、または図示しない台形等で規格化され互換性のある図示しない汎用螺子部３と、次にかみ合い始める緩み防止螺子部４を備えている。
緩み防止螺子部４では、図示しない汎用螺子部３の送りピッチを所定の１回転周期で、汎用螺子部３でのギャップ分の間隔で変化させている。
そして、雌螺子２１の緩み防止螺子部４で汎用雄螺子１０１を１山間隔で挟み込み、接触部７を設け緩みを防止する。
【００１８】
従って、締結機構１００においては、雌螺子２１の先端は汎用螺子と同一形状の汎用螺子部３とし、途中から雌螺子２１の送りピッチを周期的に変化する緩み防止螺子部４として、緩み防止螺子部４と汎用雄螺子１０１のギャップを埋めて汎用雄螺子１０１の螺子山の両側を交互に接触させているので、締め込み初期は汎用螺子と同等の作業性でかつ、締め付け終わり付近から接触部７の弾性力で軽度の締まりばめ状態にする事で、破損や雌螺子２１と汎用雄螺子１０１の緩みを防止する事が出来る。
【００１９】
図７において、複数条雌螺子２３は、締め付けると、まず汎用複数条雄螺子１０３とかみ合う三角の山形、または図示しない台形等で規格化され互換性のある図示しない汎用螺子部３と、次にかみ合い始める緩み防止螺子部４を備えている。
緩み防止螺子部４では、複数条雌螺子２３の１条の螺子山は図示しない汎用螺子部３の送りピッチの中心よりずらして、他の１条の螺子山は汎用螺子部３の送りピッチの中心より逆方向にずらしている。
【００２０】
そして、緩み防止螺子部４で汎用複数条雄螺子１０３を複数条雌螺子２３の１対の螺子山で挟み込み、接触部７を設け緩みを防止する。
従って、締結機構１００においては、複数条雌螺子２３の先端は汎用螺子と同一形状の図示しない汎用螺子部３とし、途中から複数条雌螺子２３の１条の螺子山は汎用螺子部３の送りピッチの中心よりずらして、他の１条の螺子山は汎用螺子部３の送りピッチの中心より逆方向にずらしている緩み防止螺子部４として、緩み防止螺子部４の片側の螺子山と汎用複数条雄螺子１０３とを接触させ、逆側の螺子山を汎用複数条雄螺子１０３と接触させているので、締め込み初期は汎用螺子と同等の作業性で締め込み、かつ、締め付け終わり付近から緩み防止螺子部４と汎用複数条雄螺子１０３のギャップを埋めて、接触部７の弾性力で軽度の締まりばめ状態にする事で、破損や複数条雌螺子２３と汎用複数条雄螺子１０３の緩みを防止して位置決めを常に安定にする事が出来る。
【００２１】
図８は、本発明の実施の形態例にかかる螺子部材１０の雌螺子２１または複数条雌螺子２３の備える溝５と、その雌螺子２１または複数条雌螺子２３を備える締結装置１００の断面図である。
図８において、螺子部２を構成する雌螺子２１または複数条雌螺子２３は、汎用螺子部３と緩み防止螺子部４との間に螺子山の谷径よりも大きい形状の溝５を備えている。
従って、転造等の安価な加工法で汎用螺子部３と緩み防止螺子部４を製造する事が出来るので、低コストの螺子部材１０の雌螺子２１または複数条雌螺子２３と、螺子部材１０の雌螺子２１または複数条雌螺子２３を備える締結装置１００を提供することが出来る。
【００２２】
図９は、本発明の実施の形態例にかかる螺子部材１０を備える画像形成装置２００の要部構成を示す正面図である。
図９において、画像形成装置２００は、被記録媒体（Ｐ）に画像を形成する画像形成ユニット２０１と、画像形成ユニット２０１の上部には原稿画像読取装置２０２を配置している。画像形成ユニット２０１は、被記録媒体給送ユニット２０３の上に保持されている。
画像形成ユニット２０１は、電子写真方式の作像プロセスで利便性や汎用性に優れ高速で高品質のトナーの記録画像を被記録媒体（Ｐ）の記録用紙上に形成するようになっている。
【００２３】
原稿画像読取装置２０２において、原稿セット部２２０にセットされた原稿（O）の原稿画像が光学系を介して光電変換素子２２１のＣＣＤで読み取りが行われる。光電変換素子２２１は、螺子部材１０によって基体２０４のフレームに緩みを防止し、位置決めが常に安定して低コストで締結されているので、常に高品質の原稿画像の読み取りが行われる。
光電変換素子２２１によって読み取られた高品質の原稿画像は、書き込み装置２１２によって画像形成ユニット２０１のドラム形状の感光体ドラム２１０上に結像される。
感光体ドラム２１０は、螺子部材１０によって回転軸２０５に緩みを防止し、位置決めが常に安定して低コストで締結されている。更に、感光体ドラム２１０が締結された回転軸２０５は、螺子部材１０によって基体２０４のフレームに緩みを防止し、位置決めが常に安定して低コストで締結されている軸受２０６で回動自在に保持されている。
従って、感光体ドラム２１０は、高精度の回動状態が維持されて高品質の画像を形成することが出来る。
【００２４】
螺子部材１０によって高精度の回動状態が維持される感光体ドラム２１０は、図示の矢印（Ａ）方向の時計方向に回転し、この時帯電器２１１によって表面を一様に帯電され、その帯電面に書き込み装置２１２のレーザビームにより原稿画像が形成される。これによって感光体ドラム２１０上に静電潜像が形成され、この静電潜像は現像装置２１３によってトナー像として可視像化される。
一方、被記録媒体給送ユニット２０３から被記録媒体（Ｐ）の記録用紙が感光体ドラム２１０に向けて給送され、転写器２１４によって感光体ドラム２１０上のトナー像が被記録媒体（Ｐ）に転写される。
【００２５】
この被記録媒体（Ｐ）は定着装置２１５を通り、表面に転写されたトナーの記録画像が被記録媒体（Ｐ）上に定着され、ついで被記録媒体（Ｐ）は排出トレイ２１６に排出されて収納される。感光体ドラム２１０上に残留するトナーは、クリーニングユニット２１７によって除去されて次工程に備えられる。
従って、雄螺子と雌螺子のかみ合い時の緩みを防止し、または位置決めを常に安定にして低コストの螺子部材１０を備えて高品質の画像を低コストで形成する画像形成装置２００を提供することができる。
【図面の簡単な説明】
【００２６】
【図１】本発明の実施の形態例にかかる螺子部材の雄螺子または複数条雄螺子と、その雄螺子または複数条雄螺子を備える締結装置の基本構成の断面図である。
【図２】本発明の実施の形態例にかかる螺子部材の雄螺子とその雄螺子を備える締結装置の一部分の拡大断面図である。
【図３】本発明の実施の形態例にかかる螺子部材の複数条雄螺子とその複数条雄螺子を備える締結装置の一部の拡大断面図である。
【図４】本発明の実施の形態例にかかる螺子部材の溝を備える雄螺子または複数条雄螺子と、その雄螺子または複数条雄螺子を備える締結装置の断面図である。
【図５】本発明の実施の形態例にかかる螺子部材の雌螺子または複数条雌螺子と、その雌螺子または複数条雌螺子を備える締結装置の基本構成の断面図である。
【図６】本発明の実施の形態例にかかる螺子部材の雌螺子とその雌螺子を備える締結装置の一部分の拡大断面図である。
【図７】本発明の実施の形態例にかかる螺子部材の複数条雌螺子とその複数条雌螺子を備える締結装置の一部の拡大断面図である。
【図８】本発明の実施の形態例にかかる螺子部材の溝を備える雌螺子または複数条雌螺子と、その雌螺子または複数条雌螺子を備える締結装置の断面図である。
【図９】本発明の実施の形態例にかかる螺子部材を備える画像形成装置の要部構成を示す正面図である。
【図１０】従来の螺子部材を備える締結装置の断面図である。
【図１１】従来の汎用雄螺子と汎用雌螺子を備える締結装置の一部分の拡大断面図である。
【図１２】従来の汎用複数条雄螺子と汎用複数条雌螺子を備える締結装置の一部分の拡大断面図である。
【符号の説明】
【００２７】
１  螺子本体、２  螺子部、３  汎用螺子部、４  緩み防止螺子部、５  溝、６  頭部、７  接触部、１０  螺子部材、２０  雄螺子、２１  雌螺子、２２  複数条雄螺子、２３  複数条雌螺子、１００  締結装置、１０１  汎用雄螺子、１０２  汎用雌螺子、１０３  汎用複数条雄螺子、１０４  汎用複数条雌螺子、１０６  被締結部材、２００  画像形成装置、２０１  画像形成ユニット、２０２  原稿画像読取装置、２０３  被記録媒体給送ユニット、２０４  基体、２０５  回転軸、２０６  軸受、２１０  感光体ドラム、２１１  帯電器、２１２  書き込み装置、２１３  現像装置、２１４  転写器、２１５  定着装置、２１６  排出トレイ、２１７  クリーニングユニット、２２０  原稿セット部、２２１  光電変換素子、１０００  締結装置
【図１】
2007239807.tif 000003
【図２】
2007239807.tif 000004
【図３】
2007239807.tif 000005
【図４】
2007239807.tif 000006
【図５】
2007239807.tif 000007
【図６】
2007239807.tif 000008
【図７】
2007239807.tif 000009
【図８】
2007239807.tif 000010
【図９】
2007239807.tif 000011
【図１０】
2007239807.tif 000012
【図１１】
2007239807.tif 000013
【図１２】
2007239807.tif 000014